(57)【要約】【課題】  画像とともに表示させる設定情報の視認性を向上させ、操作性に優れた画像表示装置を提供する。【解決手段】  デジタルカメラのＬＣＤモニタ４０においては、画像とともにメニュー項目が表示される。撮影モード又は再生モードが選択されているときに、メニュー項目の表示が指示されると、被写体の輪郭が不明確な画像であるぼかし画像４８が表示される。このため、被写体の輪郭が明確な通常画像とともにメニュー項目が表示される場合に比べて、メニュー項目の視認性が向上する。【選択図】        図３
2006333045.tif 000002
【特許請求の範囲】
【請求項１】
画像を表示する画像表示手段と、
前記画像とともに、ユーザがパラメータを選択するためのメニュー項目を表示するメニュー項目表示手段と、
前記メニュー項目が表示されるときに、前記画像をぼかして表示するように前記画像表示手段を制御する画像制御手段と
を備えることを特徴とする画像表示装置。
【請求項２】
前記画像制御手段が、前記画像を示す画像データを処理することにより前記画像をぼかすことを特徴とする請求項１に記載の画像表示装置。
【請求項３】
前記画像表示手段が、前記画像を静止画像として表示することを特徴とする請求項１に記載の画像表示装置。
【請求項４】
前記画像表示手段が、前記画像をスルー画像として表示することを特徴とする請求項１に記載の画像表示装置。
【請求項５】
被写体の画像を形成するために前記被写体からの光を受光する撮影レンズをさらに有し、
前記画像制御手段が、前記撮影レンズのレンズ位置を合焦位置からずらすことにより、前記画像をぼかすことを特徴とする請求項４に記載の画像表示装置。
【請求項６】
前記メニュー項目表示手段が、多数の表示領域に渡って前記メニュー項目を表示することを特徴とする請求項１に記載の画像表示装置。
【請求項７】
請求項１に記載の画像表示装置を備えることを特徴とするデジタルカメラ。
【発明の詳細な説明】
【技術分野】
【０００１】
本発明は、画像表示装置に関し、特に、ユーザが撮影等のために設定する設定情報を画像とともに表示可能な画像表示装置に関する。
【背景技術】
【０００２】
デジタルカメラ、ビデオカメラ等の画像表示が可能な装置においては、画像とともに、撮影等のための設定情報が表示される（例えば特許文献１参照）。そしてユーザは、画像とともに画面上に表示された設定情報の中から、所定のメニュー項目等を選択する。この場合、ユーザが新たに設定したメニュー項目に応じて画像が直ちに切換わるため、所望の画像が得られるか否かが、撮影等に先立って容易に確認できる。
【特許文献１】特開２００２―２９７２７８号公報（段落［００３４］〜［００５４］、図４〜１２参照）
【発明の開示】
【発明が解決しようとする課題】
【０００３】
デジタルカメラ等の画像を表示可能な装置において、例えば、非常に複雑な模様等を含む表示画像に重ねてメニュー項目が表示された場合など、表示される画像によってはメニュー項目を示す文字や数字が視認しにくいことがある。この場合、メニュー項目の選択、設定は困難になり、デジタルカメラ等の操作性が低下する。
【０００４】
本発明は、画像とともに表示させる設定情報の視認性を向上させ、操作性に優れた画像表示装置を提供することを目的とする。
【課題を解決するための手段】
【０００５】
本発明の画像表示装置は、画像を表示する画像表示手段と、画像とともに、ユーザがパラメータを選択するためのメニュー項目を表示するメニュー項目表示手段と、メニュー項目が表示されるときに、画像をぼかして表示するように画像表示手段を制御する画像制御手段とを備える。
【０００６】
画像制御手段は、画像を示す画像データを処理することにより画像をぼかすことが好ましい。画像表示手段は、画像を例えば静止画像として表示する。また、画像表示手段は、画像を例えばスルー画像として表示する。この場合、画像表示装置は、例えば、被写体の画像を形成するために被写体からの光を受光する撮影レンズをさらに有し、画像制御手段が、撮影レンズのレンズ位置を合焦位置からずらすことにより、画像をぼかす。
【０００７】
メニュー項目表示手段は、例えば、多数の表示領域に渡ってメニュー項目を表示する。
【０００８】
本発明のデジタルカメラは、先述の画像表示装置を備えることを特徴とする。
【発明の効果】
【０００９】
本発明によれば、画像とともに表示させる設定情報の視認性を向上させ、操作性に優れた画像表示装置が実現できる。
【発明を実施するための最良の形態】
【００１０】
図１は、第１の実施形態におけるデジタルカメラのブロック図である。
【００１１】
デジタルカメラ１０には、全体を制御する制御回路２０、ＬＣＤモニタ４０等が設けられている。制御回路２０には、メニューボタン１２、測光スイッチ（ＳＷＳ）１３、レリーズスイッチ（ＳＷＲ）１４等が接続されており、ユーザの操作に応じた所定の信号が制御回路２０に送信される。
【００１２】
デジタルカメラ１０の表面にはモードダイヤル（図示せず）が設けられている。このモードダイヤルが所定の回転位置に定められることにより、被写体を撮影する撮影モード、撮影画像を再生する再生モード等に対応した信号が制御回路２０に送られる。このように、モードダイヤルの操作によって所望のモードが選択、設定される。
【００１３】
メニューボタン１２が押下されると、制御回路２０の制御によってＬＣＤモニタ４０上にメニュー画面が表示される。ユーザは、メニュー画面に含まれる、撮影、もしくは画像再生等のための様々なメニュー項目ごとに定められたパラメータを選択することができる。メニュー項目には、例えば、記録サイズ（画像の解像度）、画質、ホワイトバランス等が含まれる。そして、選択されたパラメータに応じた信号が制御回路２０に送られることにより、所望のパラメータが被写体の撮影、もしくは画像の再生に使用される。なおパラメータには、ユーザが選択可能な数値に加え、予め設定されている選択可能な複数のモードが含まれる。
【００１４】
レリーズボタン（図示せず）が半押しされると、測光スイッチ１３がオン状態になる。撮影モードにおいて測光スイッチ１３がオン状態になると、測距処理部（図示せず）による測距動作が行われる。こうして得られた測距データは、制御回路２０に送信される。制御回路２０は、測距データに基づき、撮影レンズ３０のレンズ位置を調整して合焦させるようにレンズ駆動回路４２を制御する。
【００１５】
レリーズスイッチ１４は、レリーズボタンを全押しすることによりオン状態になる。レリーズスイッチ１４がオン状態になると、制御回路２０からの制御信号に基づいて、絞り駆動回路（図示せず）が絞り３１を所定量だけ開き、シャッタ（図示せず）が所定の開度まで所定時間だけ開放される。そして撮影レンズ３０を介して入射する被写体からの反射光により、ＣＣＤ３２が露光される。
【００１６】
露光されたＣＣＤ３２においては、被写体像を示す画像信号が生成される。生成されたアナログの画像信号は、アナログ信号処理回路３４において増幅され、Ａ／Ｄ変換された後に画像信号処理回路３６に送られる。画像信号には、画像信号処理回路３６においてさらに所定の処理が施され、生成された画像データが、ＳＤＲＡＭ３８において一時的に記録された後、メモリカード４６に記録される。
【００１７】
撮影モード、もしくは再生モードが設定されていた場合に、メニューボタン１２が押下されてメニュー項目の表示が指示されると、以下に示すように、メニュー項目とともに被写体の輪郭がぼかされた画像であるぼかし画像がＬＣＤモニタ４０に表示される。
【００１８】
すなわち、撮影モードが選択されていたときには、画像データは、ＳＤＲＡＭ３８から画信号像処理回路３６に送られ、後述する処理により処理済画像データとしてＬＣＤモニタ４０に送られる。この結果、処理済画像データによるぼかし画像が表示される。一方、再生モードが選択されていたときには、メモリカード４６から画像データが読み出され、撮影モード時と同様の処理によって得られた処理済画像データがＬＣＤモニタ４０に送られ、ぼかし画像が表示される。
【００１９】
なお、ぼかし画像とは、通常は撮影範囲の中央付近に位置することの多い、ピントのあっている主な被写体の輪郭すらもぼけている画像をいう。またここでは、被写体像を含まずにメニュー項目のみを表示する画面をメニュー画面とし、被写体像とともに表示されるメニュー項目と区別する。そして、撮影モード又は再生モードにおいて、メニュー項目の表示指示がないときには、合焦された通常の被写体像がＬＣＤモニタ４０上に表示される。
【００２０】
図２は、画像信号処理回路３６におけるぼかし画像の生成を示す図である。図３は、ぼかし画像を例示する図である。
【００２１】
撮影モードにおいてメニュー項目の表示が指示されたとき、画像データＢＤは、画像信号処理回路３６において、以下のように処理される。まず、ＳＤＲＡＭ３８に一時的に格納された画像データＢＤは、画素補間、ガンマ補正等により、色データ（ＲＧＢ）である第１の色データＣＤ1、第２の色データＣＤ2に変換される。第１および第２の色データＣＤ1、ＣＤ2は、いわゆるＲ：Ｇ：Ｂ＝４：４：４の形式に従った画像データであり、それぞれのデータに対応する画像の画素数は、画像データＢＤの画像の画素数に等しい。
【００２２】
第１の色データＣＤ1は、所定のＹＣマトリクスによって第１の輝度データＹ（α）と色差データＣｂ、Ｃｒとに変換される。同様に、第２の色データＣＤ2は、第２の輝度データＹ（β）と色差データＣｂ’、Ｃｒ’とに変換される。色差データＣｂ’、Ｃｒ’は、使用されないため、直ちに消去される。
【００２３】
輝度データＹ（α）と色差データＣｂ、Ｃｒは、いわゆるＹ：Ｃｂ：Ｃｒ＝４：２：２の形式に従った画像データであり、第１の輝度データＹ（α）の画像の画素数は、画像データＢＤの画像の画素数に等しく、色差データＣｂ、Ｃｒの画像の画素数は、画像データＢＤの画像の画素数の半分である。第２の輝度データＹ（β）と色差データＣｂ’、Ｃｒ’についても同様である。
【００２４】
第２の輝度データＹ（β）は、ＬＰＦ処理により第３の輝度データＹ’（β）に変換される。このため、第３の輝度データＹ’（β）による画像は、被写体の輪郭が不明確な画像である。一方、ＬＰＦ処理が施されない第１の輝度データＹ（α）および色差データＣｂ、Ｃｒに対応する各画像は、原画像のままであり、被写体の輪郭が明確な画像である。
【００２５】
変換された第３の輝度データＹ’（β）と、第１の輝度データＹ（α）とは加算され、輝度データＹ（α＋β）と色差データＣｂ、Ｃｒにより形成される処理済画像データＴＤが得られる。
【００２６】
処理済画像データＴＤの輝度データＹ（α＋β）は、ＬＰＦ処理が施された第３の輝度データＹ’（β）と、ＬＰＦ処理が施されていない第１の輝度データＹ（α）とから成るので、処理済画像データＴＤによる画像は、被写体の輪郭が不明確な画像と、輪郭が明確な画像との合成画像である。従って、図３に例示するように、被写体の輪郭が完全に失われてはいない、処理済画像データＴＤによるぼかし画像４８がＬＣＤモニタ４０に表示される。
【００２７】
なお、再生モードにおいても、上記撮影モード時と同様にメニュー項目の表示が指示されたとき、メモリカード４６より読み出された画像データに対し、画像信号処理回路３６において、輝度データが上述のように処理されて、ぼかし画像４８とメニュー項目とが表示される。
【００２８】
このように、記録サイズ、画質、明るさ、ホワイトバランス等のメニュー項目が、被写体の輪郭がさほど明確でないぼかし画像４８にスーパーインポーズして表示される。なおメニュー項目は、図３に例示するように、文字、数字、記号等を含み、建物を含む被写体画像と混在するように表示される。すなわち、メニュー項目は、ＬＣＤモニタ４０の隅などに設けられた特定かつ少数の限定された表示領域に表示されるのではなく、ＬＣＤモニタ４０の広い範囲に渡って、不特定かつ多くの細かい表示領域において表示される。このため、ぼかし画像４８とともに表示されると、メニュー項目の視認性が向上する。
【００２９】
一方、撮影モード又は再生モードにおいて、メニュー項目の表示が指示されないとき、またはメニュー表示の終了後には、ぼかし画像は生成されず、画像データＢＤに基づく被写体像がＬＣＤモニタ４０上に表示される。このため、このとき表示される通常画像においては、被写体の輪郭は明確である。
【００３０】
図４は、撮影モードにおいて、スルー画像としてのぼかし画像と通常画像とを切換えて表示するスルー画像表示ルーチンを示すフローチャートである。
【００３１】
スルー画像表示ルーチンは、撮影モードが選択されると開始する。ステップＳ１０１では、被写体の輪郭が明確な通常画像が、スルー画像としてＬＣＤモニタ４０上に表示される。ステップＳ１０２では、メニュー項目の表示が指示されたか否かが判断され、メニュー項目の表示が指示されたと判断されると、ステップＳ１０３に進む。ステップＳ１０３では、被写体がぼかし画像として表示されるとともに、メニュー項目がぼかし画像にスーパーインポーズされて表示され、ステップＳ１０４に進む。
【００３２】
ステップＳ１０４では、所望のメニュー項目についてパラメータが選択、設定されてステップＳ１０５に進む。ステップＳ１０５では、最後のパラメータの設定から所定の時間が経過したことにより、パラメータ設定が終了したか否かが判断される。そして、パラメータ設定が終了したと判断されると、ステップＳ１０６に進み、パラメータ設定が終了していないと判断されると、ステップＳ１０４に戻る。ステップＳ１０６では、ＬＣＤモニタ４０上の表示画像が、ぼかし画像から通常画像に切換えられるとともに、メニュー項目の表示が終了し、ステップＳ１０１に戻る。
【００３３】
図５は、再生モードにおいて、静止画像としてのぼかし画像と通常画像とを切換えて表示する静止画像表示ルーチンを示すフローチャートである。
【００３４】
静止画像表示ルーチンは、再生モードが選択されると開始する。ステップＳ２０１においては、メモリカード４６に記憶されていた画像の再生が指示され、ステップＳ２０２に進む。ステップＳ２０２では、被写体の輪郭が明確な通常画像が、静止画像としてＬＣＤモニタ４０上に表示される。ステップＳ２０３では、メニュー項目の表示が指示されたか否かが判断される。メニュー項目の表示が指示されたと判断されると、ステップＳ２０４に進む。ステップＳ２０４では、被写体がぼかし画像として表示されるとともに、メニュー項目がぼかし画像にスーパーインポーズされて表示され、ステップＳ２０５に進む。
【００３５】
ステップＳ２０５では、所定のパラメータが設定され、ステップＳ２０６に進む。ステップＳ２０６では、先述のスルー画像表示ルーチンと同様に、パラメータ設定が終了したか否かが判断される。そして、パラメータ設定が終了したと判断されると、ステップＳ２０７に進む。ステップＳ２０７では、ＬＣＤモニタ４０上に表示される静止画像が、ぼかし画像から通常画像に切換えられるとともに、メニュー項目の表示が終了し、ステップＳ２０２に戻る。
【００３６】
以上のように本実施形態によれば、様々なメニュー項目がぼかし画像とともに表示されることにより、メニュー項目の視認性が向上する。さらに、ぼかし画像における被写体の輪郭が完全に失われてはいないことから、メニュー項目と被写体とを同時に認識しながらのフレーミング動作が可能になる。
【００３７】
以下に、第２の実施形態について説明する。第２の実施形態においては、デジタルカメラ１０は、第１の実施形態と同一の構成要素を備えているものの、以下に示すように、第１の実施形態とは異なる手法により、スルー画像としてのぼかし画像が生成される。
【００３８】
撮影モードが選択されているときに、メニュー項目の表示を指示する信号が制御回路２０に送られると、制御回路２０は、撮影レンズ３０の位置を合焦位置から所定量だけずらすように、レンズ駆動回路４２を制御する。この結果、得られた画像データに処理を施すことなしに、ぼかし画像が生成される。なおこのとき、ぼかし画像の生成のための駆動量を少なくするために、撮影レンズ３０は、近距離側に所定量だけ駆動されることが好ましい。ぼかし画像は、第１の実施形態と同様に、メニュー項目とともにＬＣＤモニタ４０上に表示される。なお、メニュー項目の表示が終了すると、レンズ駆動前のレンズ位置に撮影レンズ３０を戻す処理を行う。
【００３９】
以上のように本実施形態によれば、撮影レンズ３０の駆動制御により、スルー画像としてのぼかし画像を得ることができる。
【００４０】
いずれの実施形態においても、メニュー項目が表示される場合、被写体はぼかし画像として表示されるが、ＬＣＤモニタ４０の表示画面に占めるメニュー項目の大きさに応じて通常画像を表示させても良い。この場合、制御回路２０によってメニュー項目が所定の大きさよりも小さいと判断されたときには、通常画像が表示される。
【図面の簡単な説明】
【００４１】
【図１】第１の実施形態におけるデジタルカメラのブロック図である。
【図２】画像信号処理回路におけるぼかし画像の生成を示す図である。
【図３】ぼかし画像を例示する図である。
【図４】スルー画像としてのぼかし画像と通常画像とを切換えて表示する、スルー画像表示ルーチンを示すフローチャートである。
【図５】静止画像としてのぼかし画像と通常画像とを切換えて表示する、静止画像表示ルーチンを示すフローチャートである。
【符号の説明】
【００４２】
１０  デジタルカメラ
２０  制御回路（画像制御手段）
３０  撮影レンズ
３６  画像信号処理回路（画像制御手段）
３８  ＳＤＲＡＭ（画像制御手段）
４０  ＬＣＤモニタ（画像表示手段・メニュー項目表示手段）
【図１】
2006333045.tif 000003
【図２】
2006333045.tif 000004
【図３】
2006333045.tif 000005
【図４】
2006333045.tif 000006
【図５】
2006333045.tif 000007